(57)【要約】【課題】ユーザの実際の行動がスケジュール機能に設定した時間帯から変更になったにも関わらず、ユーザがスケジュール機能を変更しなかった場合でも、医療機関屋内、映画館や音楽会での鑑賞中、会議中、冠婚葬祭出席中、電車乗車中等においてのみ、音の鳴動、電波の送信等の動作を確実に停止させる携帯機器を得る。【解決手段】一部の機能を停止及び復帰する時刻を記憶する記憶部、現在時刻を管理する時計部、この時計部が管理する現在時刻が上記記憶部に記憶された機能の停止または復帰の時刻になったときに外部に報知する報知手段、この報知手段による報知後、所定時間内に起動されると上記機能の停止または復帰の時刻を延期する制御部を備えた。【選択図】          図１
2004221937.tif 000002
【特許請求の範囲】
【請求項１】
一部の機能を停止及び復帰する時刻を記憶する記憶部、現在時刻を管理する時計部、この時計部が管理する現在時刻が上記記憶部に記憶された機能の停止または復帰の時刻になったときに外部に報知する報知手段、この報知手段による報知後、所定時間内に起動されると上記機能の停止または復帰の時刻を延期する制御部を備えたことを特徴とする携帯機器。
【請求項２】
一部の機能を停止及び復帰する時刻を記憶する記憶部、現在時刻を管理する時計部、この時計部が管理する現在時刻が上記記憶部に記憶された機能の停止の時刻になったときに該機能を停止し、現在時刻が該機能の復帰の時刻になったときに該機能の復帰とともに他の機能を停止する制御部を備えたことを特徴とする携帯機器。
【請求項３】
少なくとも記憶部、時計部、制御部に電力供給する補助電源を備え、上記記憶部が記憶する機能が主電源からの電力供給であり、制御部は、上記主電源からの電力供給を停止するとき、上記補助電源から電力供給することを特徴とする請求項１記載の携帯機器。
【請求項４】
音を鳴動する音量出力部を備え、記憶部が記憶する機能が、上記音量出力部の音量出力であることを特徴とする請求項１記載の携帯機器。
【請求項５】
少なくとも記憶部、時計部、制御部に電力供給する補助電源、音を鳴動する音量出力部を備え、制御部は、現在時刻が機能の停止時刻になると、主電源からの電力供給を停止し、上記補助電源から電力供給し、現在時刻が該機能の復帰時刻になると、主電源からの電力供給を復帰するとともに音量出力部の音量出力を停止することを特徴とする請求項２記載の携帯機器。
【請求項６】
制御部は、機能の停止時刻の延期に基づいて該機能の復帰時刻を延期することを特徴とする請求項１記載の携帯機器。
【請求項７】
電波を送受信する無線部、少なくとも上記無線部の無線送信を停止及び復帰する時刻を記憶する記憶部、現在時刻を管理する時計部、この時計部が管理する現在時刻が上記無線送信の停止または復帰の時刻になったときに外部に報知する報知手段、この報知手段による報知後、所定時間内に起動されると上記無線送信の停止または復帰の時刻を延期する制御部を備えたことを特徴とする携帯機器。
【請求項８】
制御部は、無線送信の停止時刻の延期に基づいて該無線送信の復帰時刻を延期することを特徴とする請求項７記載の携帯機器。
【請求項９】
報知手段が、外部へ振動を伝える振動部または音を鳴動する音量出力部であることを特徴とする請求項１又は請求項７のいずれかに記載の携帯機器。
【発明の詳細な説明】
【０００１】
【発明の属する技術分野】
この発明は、ユーザが定めた時間になると、一部の機能を停止及び復帰する機能を有する携帯機器に関する。
【０００２】
【従来の技術】
従来の携帯機器においては、スケジュール機能によりマナーモードの設定を行う年月日、時間帯を記憶するマナーモードスケジュール記憶部と、マナーモードスケジュール記憶部に設定された年月日、時間帯に携帯機器の一部の機能を停止してマナーモードの設定を行うマナー制御部とを備え、医療機関屋内、映画館での映画鑑賞中、音楽会での音楽鑑賞中、会議中、冠婚葬祭出席中、電車乗車中等におけるマナーモードの確実な設定を可能にしている（例えば、特許文献１参照）。
【０００３】
【特許文献１】
特開２００１−２２４０７５号公報（第４−６頁、第１図）
【０００４】
【発明が解決しようとする課題】
従来の携帯機器では、ユーザの実際の行動がスケジュール機能に設定した時間帯から変更された場合でも、ユーザが意図的にスケジュール機能を変更しない限り、スケジュール機能に設定した年月日、時間帯のとおりに一部の機能を停止してマナーモードの設定、解除を行ってしまうという問題点があった。例えば、会議が長引いたときに設定した時間を過ぎてから着信があると、着信音が鳴動してしまい、周りに迷惑をかけてしまう、というような場合である。
【０００５】
この発明は、上記のような課題を解決するためになされたもので、ユーザの実際の行動がスケジュール機能に設定した時間帯から変更になったにも関わらず、ユーザがスケジュール機能を変更しなかった場合でも、医療機関屋内、映画館や音楽会での鑑賞中、会議中、冠婚葬祭出席中、電車乗車中等においてのみ、音の鳴動、電波の送信等の動作を確実に停止させる携帯機器を提供することを目的とするものである。
【０００６】
【課題を解決するための手段】
この発明に係る携帯機器は、一部の機能を停止及び復帰する時刻を記憶する記憶部、現在時刻を管理する時計部、この時計部が管理する現在時刻が上記記憶部に記憶された機能の停止または復帰の時刻になったときに外部に報知する報知手段、この報知手段による報知後、所定時間内に起動されると上記機能の停止または復帰の時刻を延期する制御部を備えたものである。
【０００７】
また、この発明に係る携帯機器は、一部の機能を停止及び復帰する時刻を記憶する記憶部、現在時刻を管理する時計部、この時計部が管理する現在時刻が上記記憶部に記憶された機能の停止の時刻になったときに該機能を停止し、現在時刻が該機能の復帰の時刻になったときに該機能の復帰とともに他の機能を停止する制御部を備えたものである。
【０００８】
さらに、また、この発明に係る携帯機器は、電波を送受信する無線部、少なくとも上記無線部の無線送信を停止及び復帰する時刻を記憶する記憶部、現在時刻を管理する時計部、この時計部が管理する現在時刻が上記無線送信の停止または復帰の時刻になったときに外部に報知する報知手段、この報知手段による報知後、所定時間内に起動されると上記無線送信の停止または復帰の時刻を延期する制御部を備えたものである。
【０００９】
【発明の実施の形態】
実施の形態１．
図１は、この発明に係る携帯機器としての携帯電話機を示すブロック図である。図において、携帯電話機にはアンテナ１が設けられ、アンテナ１は無線信号の送受信を行う。アンテナ１に接続された無線部２は、送受信した無線信号を処理する。無線部２には制御部３が接続され、制御部３は主に機能動作を制御する回路であり、後述する各部が接続されている。電源管理部４は、制御部３の制御によって、電源５による携帯電話機への電力供給を管理する。レシーバ６は携帯電話機の受話部として機能し、マイク７は携帯電話機の送話部として機能する。表示部８は、時計、スケジュール等の表示を行う。キー入力部９は、主に複数のキーボタンを有し、ユーザのキー操作による入力を認識し、制御部３に伝達する。音量出力制御部１０は、制御部３の制御により、この実施の形態では報知手段または音量出力部として使われ、着信音等を発するサウンダ１１の音量出力レベルを調整する。音量出力制御部１０とサウンダ１１の間にはドライバ１２が設けられ、ドライバ１２は着信時の報知命令等を、音量出力制御部１０を介して制御部３から受け、サウンダ１１を駆動させる回路である。ドライバ１３は、この実施の形態では報知手段または振動部として使われ、振動により着信等を報知するバイブ機能部１４を駆動する回路である。スケジュール記憶部１５は、ユーザによりキー入力部９から入力されるスケジュールを記憶するメモリである。時計機能部１７は現在の時間情報を管理し、タイマ１６は一時的にカウントする時間を管理する。スケジュール制御部１８は、制御部３に設けられ、スケジュール記憶部１５の入出力動作の制御等を行う。そして、この実施の形態では、補助電源として内部電池１９が使われており、電源５からの電力供給が切断されても、制御部３、スケジュール制御部１８、スケジュール記憶部１５、及び時計機能部１７への電力供給は継続される。
【００１０】
図２は、スケジュール記憶部１５に記憶される内容例を示す図であり、予定、年月日、開始時刻、終了時刻、及び自動電源ＯＮ／ＯＦＦ機能の設定状態を１組として記憶されている。
【００１１】
図３は、スケジュール制御部１８によって図２の内容を実行したときの電源ＯＮ状態への移行を延期する動作を示すフローチャートである。
【００１２】
まず、ユーザがキー入力部９を使用してスケジュールを入力すると、制御部３は、表示部８に入力情報を表示させる。スケジュール制御部１８は、スケジュール記憶部１５に入力情報を記憶させ、図２に示すような設定状態となる。
【００１３】
スケジュール制御部１８は、時計機能部１７の現在時刻情報とスケジュール記憶部１５の開始時刻情報を一定間隔で確認する。図２では、スケジュール記憶部１５に、スケジュールＮｏ．１、Ｎｏ．２、及びＮｏ．３を記憶しているので、スケジュール制御部１８は、現在時刻情報と、Ｎｏ．１の２００２年９月２９日１５：００、Ｎｏ．２の２００２年１０月１日１１：００、またはＮｏ．３の２００２年１１月１１日１８：００のいずれかが一致するか否かを判断する（ステップ３−１）。
【００１４】
時計機能部１７の現在時刻情報とスケジュールの開始時刻がいずれも一致しない場合には、ステップ３−１に戻る。
【００１５】
ステップ３−１で、時計機能部１７の現在時刻情報とスケジュールの開始時刻のいずれかが一致した場合には、スケジュール制御部１８は、一致したスケジュールの自動電源ＯＮ／ＯＦＦ機能の設定有無を判断する（ステップ３−２）。
【００１６】
自動電源ＯＮ／ＯＦＦ機能の設定がない場合、例えば、現在時刻がスケジュールＮｏ．３の２００２年１１月１１日１８：００の場合には、ステップ３−１に戻る。
【００１７】
ステップ３−２で、自動電源ＯＮ／ＯＦＦ機能の設定がある場合、例えば、現在時刻がＮｏ．１の２００２年９月２９日１５：００の場合には、制御部３が、内部電池１９を起動させた後（ステップ３−３）、電源管理部４に電源ＯＦＦするように指示すると、電源管理部４は、電源５からの電力供給を遮断する（ステップ３−４）。これによって、音量出力、無線送信、その他多数の機能が停止することになる。しかし、内部電池１９を起動しているので、制御部３、スケジュール制御部１８、スケジュール記憶部１５、及び時計機能部１７への電力供給は継続される。
【００１８】
次に、スケジュール制御部１８は、時計機能部１７の現在時刻情報と現在実行中のスケジュールの終了時刻情報を一定間隔で確認する。つまり、スケジュール制御部１８は、現在時刻情報と、Ｎｏ．１の２００２年９月２９日１７：００とが一致するか否かを判断する（ステップ３−５）。
【００１９】
時計機能部１７の現在時刻情報と現在実行中のスケジュールの終了時刻が一致しない場合には、ステップ３−５に戻る。
【００２０】
ステップ３−５で、時計機能部１７の現在時刻情報と現在実行中のスケジュールの終了時刻が一致した場合には、制御部３が電源管理部４に電源ＯＮするように指示すると、電源管理部４は、電源５からの電力供給を再開する（ステップ３−６）。これによって、音量出力、無線送信、その他多数の機能が再開することになる。ただし、図２のＮｏ．２の病院のような場合を考慮して、無線送信機能のみ停止したままにしておいてもよい。
【００２１】
ここで、制御部３が、音量出力制御部１０に通知音の鳴動を命令すると、音量出力制御部１０は、ドライバ１２を介してサウンダ１１から通知音を鳴動させる（ステップ３−７）。このとき、Ｎｏ．１の映画館のような場合を考慮して、ドライバ１３を介してバイブ機能部１４にバイブレータを動作させるようにしてもよい。
【００２２】
また、制御部３は、タイマ１６を起動し（ステップ３−８）、表示部８には図４のような確認画面を表示させる（ステップ３−９）。
この通知音を聞き、確認画面を見たユーザは、キー入力部９から電源ＯＮ状態への移行を延期するか否か、また、延期する場合には、終了時刻を入力する。
【００２３】
制御部３は、キー入力部９から電源ＯＮ状態への移行の延期指示が入力されたか否かを判断する（ステップ３−１０）。
この判断で、キー入力部９から電源ＯＮ状態への移行の延期不要の指示が入力された、または、タイマ１６が規定時間をカウントし終えた場合は、処理を終了する。つまり、電源ＯＦＦ状態が解除され、無線送信機能及び音量出力機能も再開される。ただし、ステップ３−６で、無線送信機能を停止した場合は、停止した無線送信機能を再開する。
【００２４】
ステップ３−１０の判断で、キー入力部９から電源ＯＮ状態への移行の延期指示が入力された場合、スケジュール制御部１８は、ユーザの入力情報に従い、スケジュール記憶部１５に終了時刻を記憶させ（ステップ３−１１）、ステップ３−４に戻り、処理を繰り返す。
【００２５】
これによって、ユーザの予定が変更になったときに、ユーザがスケジュールを変更しなかった場合でも、病院や映画館等で、確実に電波の送信や、音の鳴動等を停止できるようになる。
【００２６】
次に、電波を送信したくはないが、携帯機器に内蔵されているゲームなどをしたい場合、または、会議中等で音を鳴動したくはないが、着信やメール受信は逃したくない場合には、次のようにしてもよい。
【００２７】
図５は、スケジュール記憶部１５に記憶される内容例を示す図であり、図６は、スケジュール制御部１８によって図５の内容を実行したとき、無線送信機能または音量出力機能の再開を延期する動作を示すフローチャートである。
【００２８】
まず、スケジュール記憶部１５に、図５に示すような設定を記憶させる処理は、図２の場合と同様である。
【００２９】
また、無線送信または音量出力の停止／再開機能の設定確認までの処理は、自動電源ＯＮ／ＯＦＦの処理と同様であり、ステップ６−１及びステップ６−２の処理フローにより、現在時刻情報とスケジュールの開始時刻情報の比較、及び、無線送信または音量出力の停止／再開機能の設定有無を判断する。
この判断で、無線送信または音量出力の停止／再開機能の設定がある場合、制御部３は、無線部２への電力供給を遮断したり、無線部２への電波送信の処理を実行しないように制御して無線送信機能を停止、または、音量出力制御部１０に音量出力の停止を指示してサウンダ１１からの音量出力機能を停止させる（ステップ６−３）。
【００３０】
次に、現在実行中のスケジュールの終了時刻までの処理は、自動電源ＯＮ／ＯＦＦの処理と同様であり、ステップ６−４の処理フローにより、現在時刻情報とスケジュールの終了時刻情報を比較し、判断する。
この判断で、時計機能部１７の現在時刻情報と現在実行中のスケジュールの終了時刻が一致した場合には、制御部３が、音量出力制御部１０に通知音の鳴動を命令すると、音量出力制御部１０は、ドライバ１２を介してサウンダ１１から通知音を鳴動させる（ステップ６−５）。ただし、音量出力機能の停止中のときは、通知音を鳴動させないようにする代わりに、バイブレータを動作させるようにしてもよい。
【００３１】
また、制御部３は、タイマ１６を起動し（ステップ６−６）、表示部８には図７のような確認画面を表示させる（ステップ６−７）。
この通知音を聞いたりバイブレータに気付き、確認画面を見たユーザは、キー入力部９から無線送信機能または音量出力機能の再開を延期するか否か、また、延期する場合には、終了時刻を入力する。
【００３２】
制御部３は、キー入力部９から無線送信機能または音量出力機能の再開の延期指示が入力されたか否かを判断する（ステップ６−８）。
この判断で、キー入力部９から無線送信機能または音量出力機能の再開の延期不要指示が入力された、または、タイマ１６が規定時間をカウントし終えた場合は、制御部３は、無線部２への電力供給を再開したり、無線部２への電波送信の処理を実行再開するように制御して、無線送信機能を再開、または、音量出力制御部１０に音量出力の再開を指示して、サウンダ１１からの音量出力機能を再開させ（ステップ６−９）、処理を終了する。
【００３３】
ステップ６−８の判断で、キー入力部９から無線送信機能または音量出力機能の再開の延期指示が入力された場合、スケジュール制御部１８は、ユーザの入力情報に従い、スケジュール記憶部１５に終了時刻を記憶させ（ステップ６−１０）、ステップ６−４に戻り、処理を繰り返す。
【００３４】
実施の形態２．
図８は、スケジュール制御部１８によって、図２の内容を実行したときの電源ＯＦＦ状態への移行を延期する動作を示すフローチャートである。
【００３５】
自動電源ＯＮ／ＯＦＦ機能の設定確認までの処理は、実施の形態１の処理と同様であり、ステップ８−１及びステップ８−２の処理フローにより、現在時刻情報とスケジュールの開始時刻情報の比較、及び、自動電源ＯＮ／ＯＦＦ機能の設定有無を判断する。
この判断で、自動電源ＯＮ／ＯＦＦ機能の設定がある場合、制御部３が、音量出力制御部１０に通知音の鳴動を命令すると、音量出力制御部１０は、ドライバ１２を介してサウンダ１１から通知音を鳴動させる（ステップ８−３）。このとき、Ｎｏ．１の映画館のような場合を考慮して、ドライバ１３を介してバイブ機能部１４にバイブレータを動作させるようにしてもよい。
【００３６】
また、制御部３は、タイマ１６を起動し（ステップ８−４）、表示部８には図９のような確認画面を表示させる（ステップ８−５）。
この通知音を聞き、確認画面を見たユーザは、キー入力部９から電源ＯＦＦを実行するか否かを入力する。
【００３７】
制御部３は、キー入力部９から電源ＯＦＦの実行指示が入力されたか否かを判断する（ステップ８−６）。
【００３８】
この判断で、キー入力部９から電源ＯＦＦの実行指示が入力された、または、タイマ１６が規定時間をカウントし終えた場合は、制御部３が、内部電池１９を起動させた後（ステップ８−７）、電源管理部４に電源ＯＦＦするように指示すると、電源管理部４は、電源５からの電力供給を遮断する（ステップ８−８）。これによって、音量出力、無線送信、その他多数の機能が停止することになる。
【００３９】
次に、スケジュール制御部１８は、時計機能部１７の現在時刻情報と現在実行中のスケジュールの終了時刻情報とが一致するか否かを判断する（ステップ８−９）。
【００４０】
時計機能部１７の現在時刻情報と現在実行中のスケジュールの終了時刻が一致しない場合には、ステップ８−９に戻る。
【００４１】
ステップ８−９で、時計機能部１７の現在時刻情報と現在実行中のスケジュールの終了時刻が一致した場合には、制御部３が電源管理部４に電源ＯＮするように指示すると、電源管理部４は、電源５からの電力供給を再開して（ステップ８−１０）、処理を終了する。これによって、音量出力、無線送信、その他多数の機能が再開することになる。
【００４２】
次に、ステップ８−６の判断で、キー入力部９から電源ＯＦＦの実行の不要指示が入力された場合は、制御部３は、表示部８に図１０のような確認画面を表示させる（ステップ８−１１）。
確認画面を見たユーザは、キー入力部９から電源ＯＦＦ状態への移行を延期するか否か、また、延期する場合には、開始時刻を入力する。
【００４３】
制御部３は、キー入力部９から電源ＯＦＦ状態への移行の延期指示が入力されたか否かを判断する（ステップ８−１２）。
この判断で、キー入力部９から電源ＯＦＦ状態への移行の延期不要の指示が入力された場合、スケジュール制御部１８は、ユーザの入力情報に従い、スケジュール記憶部１５に電源ＯＮ／ＯＦＦ機能の解除を記憶させ（ステップ８−１３）、処理を終了する。つまり、電源ＯＮ／ＯＦＦ機能の動作がキャンセルされる。
【００４４】
ステップ８−１２の判断で、キー入力部９から電源ＯＦＦ状態への移行の延期指示が入力された場合、スケジュール制御部１８は、ユーザの入力情報に従い、スケジュール記憶部１５に開始時刻を記憶させ（ステップ８−１４）、ステップ８−１に戻り、処理を繰り返す。
【００４５】
このとき、例えば、電源ＯＦＦ開始時刻を１時間延期すると、電源ＯＦＦ終了時刻も１時間延期させるようにしてもよい。つまり、電源ＯＦＦ開始時刻の延期に伴って、電源ＯＦＦ終了時刻を延期させるようにしてもよい。
【００４６】
また、電波の送信、または、音の鳴動のみを停止したい場合には、電源ＯＮ／ＯＦＦ機能に代えて、無線送信機能の停止／再開、または、音量出力機能の停止／再開としてもよい。
【００４７】
実施の形態３．
図１２は、スケジュール記憶部１５に記憶される内容例を示す図であり、図１１は、スケジュール制御部１８によって、図１２の内容を実行したときの電源ＯＦＦ状態から音量出力機能の停止への移行を示すフローチャートである。
【００４８】
スケジュールの終了時刻までの処理は、実施の形態１における図２の処理と同様であり、ステップ１１−１、ステップ１１−２、ステップ１１−３、ステップ１１−４、及びステップ１１−５の処理フローにより、現在時刻情報とスケジュールの開始時刻情報の比較、自動電源ＯＮ／ＯＦＦ機能の設定有無の判断、電源ＯＦＦ、現在時刻情報とスケジュールの終了時刻情報を比較、判断する。
この判断で、時計機能部１７の現在時刻情報と現在実行中のスケジュールの終了時刻が一致した場合には、スケジュール制御部１８は、音量出力停止機能が設定されているか否かを判断する（ステップ１１−６）。
【００４９】
この判断で、Ｎｏ．２のように、スケジュール記憶部１５に音量出力停止機能が設定されている場合、制御部３が電源管理部４に電源ＯＮするように指示すると、電源管理部４は、電源５からの電力供給を再開する（ステップ１１−７）。これによって、音量出力、無線送信、その他多数の機能が再開することになるが、制御部３は、音量出力制御部１０に音量の出力を停止するように指示することで、その後のサウンダ１１からの音量出力機能を停止して（ステップ１１−８）、処理を終了する。
【００５０】
ステップ１１−６の判断で、Ｎｏ．１のように、スケジュール記憶部１５に音量出力停止機能が設定されていない場合、ステップ１１−７と同様に、電源５からの電力供給を再開する（ステップ１１−９）。
その後、制御部３は、音量出力制御部１０に音量の出力を開始するように指示することで、その後のサウンダ１１からの音量出力機能を開始して（ステップ１１−１０）、処理を終了する。
【００５１】
これによって、ユーザの予定が変更になったときに、ユーザがスケジュールを変更しなかった場合でも、病院や映画館等で、確実に音の鳴動等を停止できるようになる。
【００５２】
【発明の効果】
この発明の携帯機器は、一部の機能を停止及び復帰する時刻を記憶する記憶部、現在時刻を管理する時計部、この時計部が管理する現在時刻が上記記憶部に記憶された機能の停止または復帰の時刻になったときに外部に報知する報知手段、この報知手段による報知後、所定時間内に起動されると上記機能の停止または復帰の時刻を延期する制御部を備えたので、ユーザの実際の行動がスケジュール機能に設定した時間帯から変更になったにも関わらず、ユーザがスケジュール機能を変更し忘れた場合でも、医療機関屋内、映画館や音楽会での鑑賞中、会議中、冠婚葬祭出席中、電車乗車中等における無線送信や音量出力等の確実な停止を可能にすることができる効果がある。
【図面の簡単な説明】
【図１】この発明に係る携帯電話機を示すブロック図である。
【図２】実施の形態１及び２に係る携帯電話機のスケジュール記憶部１５に記憶される自動電源ＯＮ／ＯＦＦ設定機能の内容例を示す図である。
【図３】実施の形態１に係る携帯電話機の自動電源ＯＮ状態への移行を延期する動作を示すフローチャートである。
【図４】実施の形態１に係る携帯電話機の自動電源ＯＦＦ延長の確認画面を示す図である。
【図５】実施の形態１及び２に係る携帯電話機のスケジュール記憶部１５に記憶される無線送信停止／再開または音量出力停止／再開の設定機能の内容例を示す図である。
【図６】実施の形態１に係る携帯電話機の無線送信または音量出力の機能再開を延期する動作を示すフローチャートである。
【図７】実施の形態１に係る携帯電話機の無線送信停止延長の確認画面を示す図である。
【図８】実施の形態２に係る携帯電話機の自動電源ＯＦＦ状態への移行を延期する動作を示すフローチャートである。
【図９】実施の形態２に係る携帯電話機の自動電源ＯＦＦ実行の確認画面を示す図である。
【図１０】実施の形態２に係る携帯電話機の電源ＯＦＦ状態への移行の延期の確認画面を示す図である。
【図１１】実施の形態３に係る携帯電話機の自動電源ＯＦＦからの音量出力機能停止への移行の動作を示すフローチャートである。
【図１２】実施の形態３に係る携帯電話機のスケジュール記憶部１５に記憶される自動電源ＯＮ／ＯＦＦから音量出力機能停止への移行の設定機能の内容例を示す図である。
【符号の説明】
２  無線部
３  制御部
４  電源管理部
５  電源
１０  音量出力制御部
１１  サウンダ
１４  バイブ機能部
１５  スケジュール記憶部
１７  時計機能部
１８  スケジュール制御部
１９  内部電池
【図１】
2004221937.tif 000003
【図２】
2004221937.tif 000004
【図３】
2004221937.tif 000005
【図４】
2004221937.tif 000006
【図５】
2004221937.tif 000007
【図６】
2004221937.tif 000008
【図７】
2004221937.tif 000009
【図８】
2004221937.tif 000010
【図９】
2004221937.tif 000011
【図１０】
2004221937.tif 000012
【図１１】
2004221937.tif 000013
【図１２】
2004221937.tif 000014